(57)【要約】【課題】  竿掛けアームを収納状態に戻す際の指詰めや騒音を防止ないし抑制して、安全性と防音性に優れた物干し竿支持装置を提供する。【解決手段】  本発明の物干し竿支持装置１は、竿掛けアーム４が取付部材３から片持ち状に突出する使用状態と、この使用状態と同じ回動高さで竿掛けアーム４が垂直となる中間状態とのいずれかに、当該竿掛けアーム４の回動位置を位置決めする位置決め手段と、中間状態の竿掛けアーム４が自重で下降して収納状態となるように、当該竿掛けアーム４を取付部材３に対してスライド自在に案内するガイド手段と、中間状態の竿掛けアーム４が自重で下降するのを妨げない程度に、当該竿掛けアーム４のスライド運動に抵抗を付与してその下降速度を低減させる制動手段と、を備える。【選択図】図１
2010274088.tif 000002
【特許請求の範囲】
【請求項１】
壁面に取り付け可能な取付部材と、この取付部材に基端部が上下方向に回動自在に枢着された竿掛けアームとを備えている物干し竿支持装置であって、
前記竿掛けアームが前記取付部材から片持ち状に突出する使用状態と、この使用状態と同じ回動高さで前記竿掛けアームが垂直となる中間状態とのいずれかに、当該竿掛けアームの回動位置を位置決めする位置決め手段と、
中間状態の前記竿掛けアームが自重で下降して収納状態となるように、当該竿掛けアームを前記取付部材に対してスライド自在に案内するガイド手段と、
中間状態の前記竿掛けアームが自重で下降するのを妨げない程度に、当該竿掛けアームのスライド運動に抵抗を付与してその下降速度を低減させる制動手段と、
を備えていることを特徴とする物干し竿支持装置。
【請求項２】
前記制動手段は、前記取付部材に組み込まれたギア付きのロータリーダンパと、このダンパの前記ギアが噛合する、前記竿掛けアームの長手方向に沿って形成されたラック歯とを有する請求項１項に記載の物干し竿支持装置。
【請求項３】
前記ロータリーダンパは、収納状態の前記竿掛けアームの上昇時の抵抗が、当該竿掛けアームの下降時の抵抗よりも弱くなっている請求項２に記載の物干し竿支持装置。
【発明の詳細な説明】
【技術分野】
【０００１】  本発明は、上下方向に回動自在な竿掛けアームを有する物干し竿支持装置に関するものである。
【背景技術】
【０００２】  マンションや戸建て住宅の壁面に取り付けて使用する物干し竿支持装置として、バルコニー壁等の屋内側壁面に取り付け可能な取付部材と、この取付部材に基端部が上下方向に回動自在に枢着された竿掛けアームと、を備えたものが知られている。
この物干し竿装置は、上記取付部材と竿掛けアームとを、屋内側壁面における同じ高さ位置でかつ幅方向で所定間隔をおいた位置にそれぞれ配置することによって構成されている（例えば、特許文献１及び２参照）。【０００３】  この従来の物干し竿支持装置は、更に、竿掛けアームが取付部材から片持ち状に突出する使用状態と、この使用状態と同じ回動高さで当該竿掛けアームが垂直となる中間状態とのいずれかに、竿掛けアームの回動位置を位置決めする位置決め手段と、中間状態の竿掛けアームが自重で下降して収納状態となるように、竿掛けアームを取付部材に対してスライド自在に案内するガイド手段と、を備えている。【０００４】  従って、上記物干し竿支持装置を使用して洗濯物を干す場合には、ユーザは、収納状態の竿掛けアームを取付部材に対して上方にスライドさせていったん中間状態とし、中間状態の竿掛けアームを使用状態に突出させ、使用状態となった両竿掛けアームに対して物干し竿の両端部を引っ掛けるようにすればよい。
また、物干し竿支持装置を使用しない場合には、ユーザは、両竿掛けアームから物干し竿を取り外し、上記とは逆の経路を辿るようにして、使用状態の竿掛けアームを収納状態に戻すことができる。
【先行技術文献】
【特許文献】
【０００５】
【特許文献１】  特開２００５−５８５７８号公報
【特許文献１】  特開２００８−２２９４４号公報
【発明の概要】
【発明が解決しようとする課題】
【０００６】  上記従来の物干し竿支持装置では、中間状態の竿掛けアームがガイド手段によって取付部材に対してスライド自在に案内されているだけであるから、中間状態の竿掛けアームが自重で下降して収納状態に戻る際に勢いよく自由落下することが多い。
このため、従来の物干し竿支持装置では、竿掛けアームを収納状態に戻す際に、竿掛けアームのスライド部分にユーザが指を挟んで怪我をしたり、竿掛けアームが取付部材に衝突した時に大きな騒音が発生したりすることがあり、安全性と防音性に劣るという欠点がある。【０００７】  本発明は、このような従来の課題に鑑み、竿掛けアームを収納状態に戻す際の指詰めや騒音を防止ないし抑制できるようにして、安全性と防音性に優れた物干し竿支持装置を提供することを目的とする。
【課題を解決するための手段】
【０００８】  本発明は、竿掛けアームが取付部材から片持ち状に突出する使用状態と、この使用状態と同じ回動高さで前記竿掛けアームが垂直となる中間状態とのいずれかに、当該竿掛けアームの回動位置を位置決めする位置決め手段と、中間状態の前記竿掛けアームが自重で下降して収納状態となるように、当該竿掛けアームを前記取付部材に対してスライド自在に案内するガイド手段と、を備えている前記物干し竿支持装置において、中間状態の前記竿掛けアームが自重で下降するのを妨げない程度に、当該竿掛けアームのスライド運動に抵抗を付与してその下降速度を低減させる制動手段を設けたことを特徴とする。【０００９】  本発明によれば、上記制動手段が、中間状態の竿掛けアームが自重で下降するのを妨げない程度に、当該竿掛けアームのスライド運動に抵抗を付与してその下降速度を低減させるので、中間状態の竿掛けアームが自重で下降する際に、当該竿掛けアームが勢いよく自由落下するのが防止される。
このため、竿掛けアームを収納状態に戻す際に、竿掛けアームのスライド部分にユーザが指を詰めて怪我をしたり、竿掛けアームが取付部材に衝突した時に大きな騒音が発生したりするのを防止ないし抑制することができる。【００１０】  本発明において、前記制動手段は、具体的には、前記取付部材に組み込まれたギア付きのロータリーダンパと、このダンパの前記ギアが噛合する、前記竿掛けアームの長手方向に沿って形成されたラック歯とを有するものを採用することができる。
上記ギア付きのロータリーダンパは、汎用部品として市販されている。このため、かかる市販のロータリーダンパを取付部材に組み込むようにすれば、制動手段を構成するための製作コストを抑えることができる。【００１１】  一方、上記制動手段を採用する場合、収納状態の竿掛けアームの上昇時の抵抗が大きいと、ユーザが竿掛けアームを上昇させるのに大きな力が必要となり、物干し竿支持装置の使い勝手が却って悪くなるという不都合が生じる。
そこで、本発明において、前記ロータリーダンパは、収納状態の前記竿掛けアームの上昇時の抵抗が、当該竿掛けアームの下降時の抵抗よりも弱くなっていることが好ましい。【００１２】  このようなロータリーダンパを使用すれば、収納状態の竿掛けアームをユーザが上昇させる際に、出来るだけ小さい力で竿掛けアームを上昇させることができ、当該ロータリーダンパを設けたことによって物干し竿支持装置の使い勝手が悪くなるのを、未然に防止することができる。
【発明の効果】
【００１３】  以上の通り、本発明によれば、竿掛けアームを収納状態に戻す際の指詰めや騒音を防止ないし抑制することができるので、物干し竿支持装置の安全性及び防音性を向上することができる。
【図面の簡単な説明】
【００１４】
【図１】  第１実施形態に係る物干し竿支持装置の側面図である。
【図２】  同支持装置における支持フレームの上端部の側面断面図である。
【図３】  第２実施形態に係る物干し竿支持装置の側面図である。
【発明を実施するための形態】
【００１５】  〔第１実施形態〕
図１は、本発明の第１実施形態に係る物干し竿支持装置の側面図である。また、図２は、同支持装置における支持フレームの上端部の側面断面図である。
図１に示すように、本実施形態の物干し竿支持装置１は、マンションや戸建て住宅の壁面に取り付けて使用されるものである。
この物干し竿支持装置１は、バルコニー壁２の屋内側壁面に取り付けられており、その壁面に取り付け可能な取付部材３と、この取付部材３に基端部が上下方向に回動自在に枢着された竿掛けアーム４と、を備えている。
【００１６】  なお、図例では、取付部材３と竿掛けアーム４が１つしか図示されていないが、これらはいずれも、バルコニー壁２における同じ高さ位置でかつその幅方向（図１の紙面貫通方向）で所定間隔をおいた位置にそれぞれ配置されている。従って、本実施形態の物干し竿支持装置１は、バルコニー壁２の幅方向に並べて設けられた左右一対の取付部材３及び竿掛けアーム４によって構成されている。
取付部材３は、バルコニー壁２の壁面にボルト締結された固定部材５と、この固定部材５の屋内側面（図１の右側面）に取り付けられた上下方向に長尺な支持フレーム６とを備えている。
【００１７】  図２に示すように、支持フレーム６は、上下方向に長いスライド枠材７と、このスライド枠材７の上端部に嵌合する回動連結部８とから構成されている。固定部材５は、スライド枠材７をその上下高さが調節自在となるように支持している。
スライド枠材７と回動連結部８の内部には、後述する竿掛けアーム４の支持ピン１５，１６を上下方向にスライド自在に案内するスライド溝部９が形成されている。また、回動連結部８の内部には、竿掛けアーム４の基端部を上下方向に回動自在に支持するとともに、当該竿掛けアーム４の回動位置を位置決めするカム溝部１０が形成されている。
【００１８】  回動連結部８のカム溝部１０は、スライド溝部９の上端側に連通しており、回動連結部８の上端部の屋内側（図２の右側）を支点として屋外側に向かって円弧状に延びるカム面１１を備えている。
更に、回動連結部８の上端部の屋内側には、後述する竿掛けアーム４のガイド溝１４に嵌合可能なガイド突起１２が形成されている。
【００１９】  一方、竿掛けアーム４は、長尺な金属製板材よりなり、物干し竿（図示せず）を挿通可能な直径の複数の引っ掛け孔１３を、長手方向で所定間隔おきに有している。竿掛けアーム４の上縁部には、前記ガイド突起１２が嵌合可能な溝幅を有するガイド溝１４が、当該アーム４の長手方向に沿って延設されている。
また、竿掛けアーム４の基端部の上縁側には、一対の支持ピン１５，１６が長手方向に間隔をおいて設けられており、竿掛けアーム４の基端縁には、回動連結部８に対する当接部１７が形成されている。
【００２０】  一対の支持ピン１５，１６のうち、先端よりの第１ピン１５は、竿掛けアーム４が上下方向に回動する際の回動支点となるものである。他方、基端よりの第２ピン１６は、カム面１１に当接することにより、竿掛けアーム４の上下方向の回動運動を案内する。
より具体的には、図２に示すように、竿掛けアーム４は、第１ピン１５を回動支点として回動連結部８の上端部において回動自在となっており、当接部１７が回動連結部８の内面突起に当接することにより、竿掛けアーム４の下方への回動が規制されて、使用状態（図１及び図２の一点鎖線状態）に位置決めされる。
【００２１】  なお、本実施形態の物干し竿支持装置１では、上記使用状態の竿掛けアーム４は、水平方向からほぼ４０度で傾斜して、支持フレーム６に対して片持ち状に突出した状態となっている。
【００２２】  また、使用状態の竿掛けアーム４を上へ持ち上げることにより、第２ピン１３がカム面１１に案内されて竿掛けアーム４が第１ピン１５を回動支点として上方へ回動し、使用状態と同じ回動高さで竿掛けアーム４が垂直となる中間状態（図２の二点鎖線状態）に姿勢変更させることができる。
しかして、回動連結部８側の前記カム溝部１０と、竿掛けアーム４側の前記両支持ピン１５，１６及び当接部１７とにより、前記使用状態と中間状態のいずれかに当該竿掛けアーム４の回動位置を位置決めする位置決め手段が構成されている。
【００２３】  更に、図２に示すように、竿掛けアーム４が中間状態になると、両支持ピン１５，１６が垂直方向に並んで、スライド溝９の直上に位置するようになっている。
そこで、中間状態の竿掛けアーム４から手を離すと、両支持ピン１５，１６がスライド溝９に入り込むとともに、前記ガイド突起１２が竿掛けアーム４のガイド溝１４に入り込み、竿掛けアーム４を垂直方向に沿って下降させることができる。
【００２４】  そして、竿掛けアーム４は、ガイド突起１２がガイド溝１４の先端に当接するまで下降し、当該竿掛けアーム４が最も低い位置となる収納状態（図１の実線状態）に位置決めされるようになっている。
しかして、支持フレーム６側のスライド溝部９及びガイド突起１２と、竿掛けアーム４側の両支持ピン１５，１６及びガイド溝１４とにより、中間状態の竿掛けアーム４が下降して収納状態となるように、当該竿掛けアーム４を支持フレーム６に対してスライド自在に案内するガイド手段が構成されている。
【００２５】  図１及び図２に示すように、本実施形態の物干し竿支持装置１は、支持フレーム６に組み込まれたギア１８付きのロータリーダンパ１９を備えている。
このロータリーダンパ１９は、汎用部品として市販されているもので、ギア１８の歯部がスライド溝部９の内部側に向くように、スライド枠材７の上端部分に収納されている。また、竿掛けアーム４は、ギア１８が噛み合うラック歯２０を上側縁部に有しており、このラック歯２０は、竿掛けアーム４の長手方向にほぼ全長に渡って形成されている。
【００２６】  上記ロータリーダンパ１９は、ケーシングと、このケーシングに挿通されたギア１８の回転軸に設けたフィン（図示せず）とを有し、そのケーシング内に封入した粘性流体にフィンを浸すことにより、ギア１８の回転に抵抗を付与している。このギア１８に付与する抵抗は、中間状態の竿掛けアーム４が自重で下降するのを妨げない程度となるように設定されている。
しかして、上記ロータリーダンパ１９と竿掛けアーム４のラック歯２０とにより、当該竿掛けアーム４のスライド運動に抵抗を付与してその下降速度を低減させる制動手段が構成されている。
【００２７】  また、本実施形態のロータリーダンパ１９では、ギア１８の回転方向に応じて抵抗が変化するように、上記フィンの形状が設定されている。
具体的には、ギア１８に付与する抵抗は、図２における左回り抵抗の方が右回り抵抗よりも小さくなっており、これにより、収納状態の竿掛けアーム４の上昇時の抵抗が、当該竿掛けアーム４の下降時の抵抗よりも弱くなっている。
【００２８】  〔支持装置の使用方法と作用〕
上記構成に係る本実施形態において、物干し竿支持装置１を使用して洗濯物を干す場合には、ユーザは、収納状態（図１の実線状態）の竿掛けアーム４を支持フレーム６に対して上方にスライドさせていったん中間状態（図２の二点鎖線状態）とし、中間状態の竿掛けアーム４を使用状態（図１及び図２の一点鎖線状態）に突出させ、使用状態となった両竿掛けアーム４，４に対して物干し竿の両端部を引っ掛けるようにすればよい。
【００２９】  また、物干し竿支持装置１を使用しない場合には、ユーザは、両竿掛けアーム４，４から物干し竿を取り外し、上記とは逆の経路を辿るようにして、使用状態の竿掛けアーム４，４を収納状態に戻すことができる。
このさい、本実施形態の物干し竿支持装置１によれば、前記制動手段が、中間状態の竿掛けアーム４が自重で下降するのを妨げない程度に、当該竿掛けアーム４のスライド運動に抵抗を付与してその下降速度を低減させるので、中間状態の竿掛けアーム４を下降させる場合に、竿掛けアーム４が勢いよく自由落下するのが防止される。
【００３０】  このため、竿掛けアーム４を収納状態に戻す際に、竿掛けアーム４のスライド部分にユーザが指を詰めて怪我をしたり、竿掛けアーム４が支持アーム６に衝突した時に大きな騒音が発生したりするのを防止ないし抑制することができる。
また、本実施形態の物干し竿支持装置１によれば、ギア１８付きのロータリーダンパ１９として、汎用部品として市販されたものを使用しているので、上記制動手段を構成するための製作コストを抑えることができる。
【００３１】  更に、本実施形態の物干し竿支持装置１によれば、収納状態の竿掛けアーム４の上昇時の抵抗が、当該竿掛けアーム４の下降時の抵抗よりも弱くなっているので、収納状態の竿掛けアーム４をユーザが上昇させる際に、出来るだけ小さい力で竿掛けアーム４を上昇させることができる。
このため、ロータリーダンパ１９を設けたことによって物干し竿支持装置１の使い勝手が悪くなるのを、未然に防止することができる。
【００３２】  〔第２実施形態〕
図３は、本発明の第２実施形態に係る物干し竿支持装置の側面図である。
第２実施形態（図３）の支持装置１が第１実施形態（図１）のそれと異なる点は、取付部材３が上下方向に長尺の支持フレーム６を備えていないため、竿掛けアーム４の上下方向のガイド手段が、取付部材３に設けたガイド突起１２と、竿掛けアーム４側のガイド溝１４とから構成されている点にある。
【００３３】  また、第２実施形態では、使用状態（図３の一点鎖線状態）の竿掛けアーム４は、ほぼ水平状態で取付部材３から片持ち状に突出するようになっている。
なお、第２実施形態においても、ギア１８付きのロータリーダンパ１９が取付部材３の内部に収納されており、そのギア１８が噛合するラック歯２０が竿掛けアーム４の長手方向に沿って形成されている。
【００３４】  〔変形例〕
なお、本発明は上記実施形態に限定されるものではない。
例えば、上記実施形態では、制動手段として、ギア１８付きのロータリーダンパ１９を採用しているが、垂直状態の竿掛けアーム４の下降に抵抗を付与できるものであればこれに限られず、竿掛けアーム４に転動自在に当接してこれを制動するゴムローラ等であってもよい。
【符号の説明】
【００３５】１：物干し竿支持装置    ２：バルコニー壁    ３：取付部材    ４：竿掛けアーム
５：固定部材    ６：支持フレーム    ７：スライド枠材    ８：回動連結部
９：スライド溝部    １０：カム溝部    １１：カム面    １２：ガイド突起
１３：引っ掛け孔    １４：ガイド溝    １５：支持ピン（第１ピン）
１６：支持ピン（第２ピン）    １７：当接部    １８：ギア
１９：ロータリーダンパ    ２０：ラック歯
【図１】
2010274088.tif 000003
【図２】
2010274088.tif 000004
【図３】
2010274088.tif 000005